(57)【要約】【課題】  配線の簡略化が可能な照明器具を提供する。【解決手段】  固体発光素子を有する灯体１と、灯体１に対して固定されて固体発光素子を空冷する冷却装置２と、灯体１から離間して配置され、固体発光素子を点灯させる電力を生成する第１ブロック３とを備える。さらに、灯体１に固定され、第１ブロック３から電力を供給されて冷却装置２を駆動する第２ブロック４を備え、第１ブロック３か固体発光素子への給電は、第２ブロック４を通じて行われている。冷却装置２に接続される第３ケーブル５３が第１ブロック３から引き出される場合に比べ、配線の簡略化が可能となる。【選択図】図１
2015038833.tif 000002
【特許請求の範囲】
【請求項１】
固体発光素子を有する灯体と、
前記灯体に対して固定されて電力供給を受けて前記固体発光素子を強制的に冷却する冷却装置と、
前記灯体から離間して配置され、前記固体発光素子を点灯させる電力を生成する第１ブロックと、
前記灯体に固定され、前記第１ブロックから電力を供給されて前記冷却装置を駆動する第２ブロックとを備え、
前記第１ブロックから前記固体発光素子への給電は、前記第２ブロックを通じて行われていることを特徴とする照明器具。
【請求項２】
前記固体発光素子の温度を検出する温度検出素子と、
前記温度検出素子によって検出された温度が所定の温度よりも高くなったときに前記第１ブロックから前記固体発光素子への給電を停止させる遮断回路とを備え、
前記遮断回路は前記第２ブロックに設けられていることを特徴とする請求項１記載の照明器具。
【請求項３】
前記冷却装置は前記第２ブロックに一体化されていることを特徴とする請求項１又は請求項２記載の照明器具。
【請求項４】
前記第１ブロックは、前記第１ブロックの出力電圧と出力電流と出力電力とのうち少なくとも一つを検出値として検出する出力検出部と、前記検出値の正常範囲を記憶する記憶部と、前記検出値が前記正常範囲から外れたときに前記第１ブロックの出力を停止させる制御部とを有することを特徴とする請求項１〜３のいずれか１項に記載の照明器具。
【請求項５】
前記制御部は、製造後に最初に始動されたときに前記出力検出部によって検出された前記検出値に基づいて前記正常範囲を決定するとともに前記記憶部に記憶することを特徴とする請求項４記載の照明器具。
【請求項６】
前記第２ブロックは、前記第１ブロックから電力を供給されて前記冷却装置の電源を生成する冷却装置電源回路と、前記第１ブロックが電力の出力を開始してから所定の待機時間が経過するまでの期間である冷却装置待機期間中には前記冷却装置電源回路から前記冷却装置への給電を停止させる待機回路とを有し、
前記記憶部には、前記正常範囲として、前記冷却装置待機期間中に用いられる第１正常範囲と、前記冷却装置待機期間の終了後に用いられる第２正常範囲とが記憶されていることを特徴とする請求項４又は請求項５記載の照明器具。
【発明の詳細な説明】
【技術分野】
【０００１】
本発明は、照明器具に関するものである。
【背景技術】
【０００２】
従来から、発光ダイオードを光源とする照明器具が提供されている。
【０００３】
発光ダイオードは発熱部品であり、且つ、温度が発光効率に与える影響が比較的に大きいので、上記の照明器具は、発光ダイオードを強制空冷する空冷ファンのような冷却装置を備えることが多い（例えば、特許文献１参照）。
【先行技術文献】
【特許文献】
【０００４】
【特許文献１】特開２００９−１４６６４８号公報
【発明の概要】
【発明が解決しようとする課題】
【０００５】
発光ダイオードを点灯させる直流電力を生成する電源回路が第１ケースに収納されてなる第１ブロックと、発光ダイオードを保持して冷却装置を取り付けられた灯体とを備える照明器具において、第１ブロックが冷却装置から離間して配置される場合を考える。さらに、冷却装置は発光ダイオードとは電流値等が異なる電力で駆動されるものであって、電源回路から電力を供給されて冷却装置を駆動する冷却装置電源回路が、第１ブロックに設けられて（つまり上記の第１ケースに収納されて）いるとする。
【０００６】
この場合、冷却装置に接続される電線を、発光ダイオードに接続される電線とは別途に、第１ケースから引き出す必要があるから、配線が複雑化してしまう。
【０００７】
本発明は、上記事由に鑑みて為されたものであり、その目的は、配線の簡略化が可能な照明器具を提供することにある。
【課題を解決するための手段】
【０００８】
本発明の照明器具は、固体発光素子を有する灯体と、前記灯体に対して固定されて電力供給を受けて前記固体発光素子を強制的に冷却する冷却装置と、前記灯体から離間して配置され、前記固体発光素子を点灯させる電力を生成する第１ブロックと、前記灯体に固定され、前記第１ブロックから電力を供給されて前記冷却装置を駆動する第２ブロックとを備え、前記第１ブロックから前記固体発光素子への給電は、前記第２ブロックを通じて行われていることを特徴とする。
【０００９】
上記の照明器具において、前記固体発光素子の温度を検出する温度検出素子と、前記温度検出素子によって検出された温度が所定の温度よりも高くなったときに前記第１ブロックから前記固体発光素子への給電を停止させる遮断回路とを備え、前記遮断回路は前記第２ブロックに設けられていることが望ましい。
【００１０】
また、上記の照明器具において、前記冷却装置は前記第２ブロックに一体化されていることが望ましい。
【００１１】
さらに、上記の照明器具において、前記第１ブロックは、前記第１ブロックの出力電圧と出力電流と出力電力とのうち少なくとも一つを検出値として検出する出力検出部と、前記検出値の正常範囲を記憶する記憶部と、前記検出値が前記正常範囲から外れたときに前記第１ブロックの出力を停止させる制御部とを有することが望ましい。
【００１２】
また、上記の照明器具において、前記制御部は、製造後に最初に始動されたときに前記出力検出部によって検出された前記検出値に基づいて前記正常範囲を決定するとともに前記記憶部に記憶することが望ましい。
【００１３】
さらに、上記の照明器具において、前記第２ブロックは、前記第１ブロックから電力を供給されて前記冷却装置の電源を生成する冷却装置電源回路と、前記第１ブロックが電力の出力を開始してから所定の待機時間が経過するまでの期間である冷却装置待機期間中には前記冷却装置電源回路から前記冷却装置への給電を停止させる待機回路とを有し、前記記憶部には、前記正常範囲として、前記冷却装置待機期間中に用いられる第１正常範囲と、前記冷却装置待機期間の終了後に用いられる第２正常範囲とが記憶されていることが望ましい。
【発明の効果】
【００１４】
本発明によれば、固体発光素子に接続される電線と、冷却装置に接続される電線とが、ともに、灯体に固定された第２ブロックから引き出されることになる。従って、灯体から離間して配置される第１ブロックから固体発光素子に接続される電線と冷却装置に接続される電線とが別途に引き出される場合に比べ、配線の簡略化が可能となる。
【図面の簡単な説明】
【００１５】
【図１】本発明の実施形態を示す斜視図である。
【図２】同上を示す下面図である。
【図３】同上の概略構成を示すブロック図である。
【図４】同上の第２ブロックの概略構成を示すブロック図である。
【図５】同上の冷却装置電源回路と待機回路とを示す回路ブロック図である。
【図６】同上の冷却装置電源回路の別の例を示す回路ブロック図である。
【図７】同上の遮断回路を示す回路ブロック図である。
【図８】同上の第１ブロックを示す回路ブロック図である。
【図９】同上の第１ブロックの出力電流の時間変化を示す説明図である。
【図１０】同上の制御部の動作を示す流れ図である。
【図１１】同上の変更例を示す斜視図である。
【図１２】図１１の例の第２ブロックを示す説明図である。
【発明を実施するための形態】
【００１６】
本発明の照明器具は、固体発光素子（発光ダイオードアレイ１０）を有する灯体１と、灯体１に対して固定されて電力供給を受けて固体発光素子（発光ダイオードアレイ１０）を強制的に冷却する冷却装置２とを備える。また、照明器具は、灯体１から離間して配置され、固体発光素子（発光ダイオードアレイ１０）を点灯させる電力を生成する第１ブロック３と、灯体１に固定され、第１ブロック３から電力を供給されて冷却装置２を駆動する第２ブロック４とを備える。第１ブロック３から固体発光素子（発光ダイオードアレイ１０）への給電は、第２ブロック４を通じて行われている。
【００１７】
上記の照明器具において、固体発光素子（発光ダイオードアレイ１０）の温度を検出する温度検出素子６と、温度検出素子６によって検出された温度が所定の温度よりも高くなったときに第１ブロック３から固体発光素子（発光ダイオードアレイ１０）への給電を停止させる遮断回路４３とを備え、遮断回路４３は第２ブロック４に設けられていることが好ましい。
【００１８】
また、上記の照明器具において、冷却装置２は第２ブロック４に一体化されていることが好ましい。
【００１９】
さらに、上記の照明器具において、第１ブロック３は、第１ブロック３の出力電圧と出力電流と出力電力とのうち少なくとも一つを検出値として検出する出力検出部（電流検出素子ＣＴ１，電圧検出部３２２）と、検出値の正常範囲を記憶する記憶部３２４と、検出値が正常範囲から外れたときに第１ブロック３の出力を停止させる制御部３２３とを有することが好ましい。
【００２０】
また、上記の照明器具において、制御部３２３は、製造後に最初に始動されたときに出力検出部（電流検出素子ＣＴ１，電圧検出部３２２）によって検出された検出値に基づいて正常範囲を決定するとともに記憶部３２４に記憶することが好ましい。
【００２１】
さらに、上記の照明器具において、第２ブロック４は、第１ブロック３から電力を供給されて冷却装置２の電源を生成する冷却装置電源回路４１と、第１ブロック３が電力の出力を開始してから所定の待機時間が経過するまでの期間である冷却装置待機期間中には冷却装置電源回路４１から冷却装置２への給電を停止させる待機回路４２とを有し、記憶部３２４には、正常範囲として、冷却装置待機期間中に用いられる第１正常範囲と、冷却装置待機期間の終了後に用いられる第２正常範囲とが記憶されていることが好ましい。
【００２２】
以下、本発明を実施するための最良の形態について、図面を参照しながら説明する。
【００２３】
本実施形態の照明器具は、図１〜図３に示すように、固体発光素子としての発光ダイオードアレイ１０を有する灯体１と、電力供給を受けて発光ダイオードアレイ１０を強制的に冷却する冷却装置２とを備える。なお、固体発光素子としては、発光ダイオードアレイ１０に代えて、有機ＥＬ素子を用いてもよい。また、固体発光素子は、発光ダイオードアレイ１０に限らず、単一の発光ダイオードであってもよい。発光ダイオードアレイ１０および発光ダイオードは、基板にＬＥＤチップを実装したＣＯＢ（ＣＨＩＰ  ＯＮ  ＢＯＡＲＤ）タイプであってもよい。また、パッケージ基板（図示せず）にＬＥＤチップ（図示せず）を実装したＳＭＤ（ＳＵＲＦＡＣＥ  ＭＯＵＮＴ  ＤＥＶＩＣＥ）タイプのものを基板に実装したものであってもよい。
【００２４】
灯体１は、発光ダイオードアレイ１０を収納及び保持したハウジング１１を備える。ハウジング１１は、例えばアルミダイカストからなり、軸方向を上下方向に向けて下面が開口した有底円筒形状の本体部１１１と、本体部１１１の下端から径方向の外向きに突設された円環形状の鍔部１１２とを有する。発光ダイオードアレイ１０は、本体部１１１の内底面の中央部に固定される。また、本体部１１１の内側には、例えば白色であって発光ダイオードアレイ１０の光を下方へ配光する球面形状を有する反射部１１３が設けられている。さらに、本体部１１１の上面には放熱フィン１１４が突設されている。また、ハウジング１１には、透光性を有する材料（例えばアクリル樹脂）からなり本体部１１１の下側の開口を覆う透光カバー（図示せず）が取り付けられていてもよい。透光カバーは、発光ダイオードアレイ１０の光を拡散させる乳白色のものであってもよいし、透明なものであってもよい。
【００２５】
灯体１は、天井材に設けられた円形状の埋込穴（図示せず）に埋込配設される。天井材は、コンクリート等の造営材との間に隙間（いわゆる配線スペース）を開けて天井面を構成する板材である。そして、ハウジング１１の本体部１１１の径方向の互いに反対側に位置する２か所には、それぞれ板ばねからなる取付ばね１２が例えば凹凸係合により固定されている。灯体１は、埋込穴の周囲において鍔部１１２と取付ばね１２との間に天井材が挟まれることで、天井材に対して固定される。また、天井材に対して固定された状態では、本体部１１１の外周面と埋込穴の内周面との間の隙間は、下方から見て鍔部１１２によって覆われる。
【００２６】
冷却装置２は、軸方向を上下方向に向けて灯体１の上側に固定された周知の軸流ファンからなり、直流電力で駆動されて発光ダイオードアレイ１０を強制空冷する送風機である。なお、冷却装置２としては、モーターによって羽根を回転させることで気流を発生させる軸流ファンや遠心ファンに限られず、例えば圧電素子や静電アクチュエータによる振動で気流を発生させる送風機を用いてもよい。
【００２７】
また、本実施形態は、発光ダイオードアレイ１０を点灯させる電力を生成する第１ブロック３と、第１ブロック３の出力を電源として冷却装置２を駆動する冷却装置電源回路４１を有する第２ブロック４とを備える。
【００２８】
第１ブロック３は灯体１から離間して配置され、第１ケーブル５１を介して第２ブロック４に電気的に接続されている。また、第２ブロック４は、灯体１に設けられた保持台１３に固定され、第２ケーブル５２を介して灯体１（発光ダイオードアレイ１０）に電気的に接続されるとともに、第３ケーブル５３を介して冷却装置２に電気的に接続されている。保持台１３は、ハウジング１１の本体部１１１の上面の径方向の互いに逆側の端部に固定されてハウジング１１よりも上方に突出する２個の腕部１３１と、腕部１３１の上端間に架設された胴部１３２とを有する。第２ブロック４は、胴部１３２の下面に、例えば貼着やねじ止めといった適宜の手段によって固定されている。
【００２９】
第２ブロック４は、図４に示すように、第１ブロック３の出力電圧を降圧することで冷却装置２の電源を生成する冷却装置電源回路４１を有する。
【００３０】
冷却装置電源回路４１は、例えば図５に示すように、抵抗Ｒ１１とツェナーダイオードＺＤ１１との直列回路で構成され、このツェナーダイオードＺＤ１１のツェナー電圧を出力電圧とする。なお、冷却装置電源回路４１は、上記のようにツェナーダイオードＺＤ１１を用いる代わりに、図６に示すように周知の３端子レギュレータ４１０を用いて実現することもできる。３端子レギュレータ４１０が用いられる場合、入力端間と出力端間とにそれぞれコンデンサが接続される。
【００３１】
なお、冷却装置２が交流モーターや他励式の圧電素子や静電アクチュエータを用いるものである場合、冷却装置電源回路４１は交流電力を出力する必要があるが、そのような冷却装置電源回路４１は周知技術で実現可能であるので詳細な説明は省略する。
【００３２】
また、第２ブロック４は、電源がオンされてから所定の待機時間が経過するまでの期間（以下、「冷却装置待機期間」と呼ぶ。）には冷却装置２への給電を停止させる待機回路４２を有する。具体的には、待機回路４２は、図５に示すように、冷却装置電源回路４１の高電圧側の出力端（ツェナーダイオードＺＤ１１のカソード）にエミッタを接続されコレクタを冷却装置２に接続されたＰＮＰ型の第１トランジスタＱ１１を有する。第１トランジスタＱ１１のベースは、抵抗Ｒ１２とＮＰＮ型の第２トランジスタＱ１２とを介して、冷却装置電源回路４１の低電圧側の出力端（ツェナーダイオードＺＤ１１のアノード）に接続されている。さらに、待機回路４２は、冷却装置待機期間中には第２トランジスタＱ１２をオフし、冷却装置待機期間の終了後に第２トランジスタＱ１２をオンする遅延回路４２０を有する。すなわち、冷却装置待機期間中には第２トランジスタＱ１２がオフされることで第１トランジスタＱ１１がオフされて冷却装置２への給電が停止され、冷却装置待機期間の終了時に第２トランジスタＱ１２がオンされることで冷却装置２への給電が開始される。上記のような遅延回路４２０は周知技術で実現可能であるので、詳細な説明は省略する。
【００３３】
また、本実施形態は、発光ダイオードアレイ１０に近接配置されて発光ダイオードアレイ１０の温度を検出する温度検出素子６を備える。さらに、第２ブロック４には、温度検出素子６によって検出された温度が所定の基準温度よりも高いときに第１ブロック３から発光ダイオードアレイ１０への給電を停止させる遮断回路４３が設けられている。遮断回路４３と温度検出素子６とを互いに電気的に接続する電線は、第２ケーブル５２に含まれる。
【００３４】
具体的に説明すると、温度検出素子６はＮＴＣサーミスタからなり、図７に示すように、第１ブロック３の出力端間に抵抗Ｒ２４に直列に接続される。遮断回路４３は、温度検出素子６の両端電圧を反転入力端子に入力され、所定の基準電圧Ｖｒ１を非反転入力端子に入力されたコンパレータＣＰ１を備える。すなわち、発光ダイオードアレイ１０の温度が上昇して温度検出素子６の両端電圧が基準電圧Ｖｒ１を下回ったときに、異常な高温であると判定され、コンパレータＣＰ１の出力がＨレベルとなる。基準電圧Ｖｒ１は、検出された温度が上記の基準温度であるときの温度検出素子６の両端電圧である。基準電圧Ｖｒ１は、例えば、冷却装置電源回路４１の出力電圧を、シャントレギュレータにより変換（降圧）することで生成される。
【００３５】
また、遮断回路４３は、エミッタを第１ブロック３の高電圧側の出力端に接続され、コレクタを発光ダイオードアレイ１０のアノード側に接続されたＰＮＰ型の第１トランジスタＱ２１を備える。さらに、遮断回路４３は、第１トランジスタＱ２１のベースに一端が接続された抵抗Ｒ２１と、この抵抗Ｒ２１の他端にカソードが接続されたツェナーダイオードＺＤ２１とを備える。また、遮断回路４３は、ツェナーダイオードＺＤ２１のアノードにコレクタを接続されてエミッタを第１ブロック３の低電圧側の出力端（グランド）に接続されたＮＰＮ型の第２トランジスタＱ２２を備える。さらに、遮断回路４３は、第１ブロック３の出力端間に接続された抵抗Ｒ２２とＮＰＮ型の第３トランジスタＱ２３との直列回路を備える。第３トランジスタＱ２３のコレクタは抵抗Ｒ２３を介して第２トランジスタＱ２２のベースに接続され、第３トランジスタＱ２３のベースは抵抗Ｒ２５を介してコンパレータＣＰ１の出力端子に接続されている。
【００３６】
遮断回路４３の動作を説明する。基準電圧Ｖｒ１に応じた所定の基準温度と比較して、温度検出素子６によって検出された温度が低いときには、コンパレータＣＰ１の出力がＬレベルとなって第３トランジスタＱ２３がオフされる。このとき、第２トランジスタＱ２２がオン状態となることで第１トランジスタＱ２１がオン状態となるから、第１ブロック３から発光ダイオードアレイ１０への給電はオンされる。
【００３７】
また、上記の基準温度と比較して、温度検出素子６によって検出された温度が高いときには、コンパレータＣＰ１の出力がＨレベルとなって第３トランジスタＱ２３がオンされる。このとき、第２トランジスタＱ２２がオフ状態となることで第１トランジスタＱ２１がオフ状態となるから、第１ブロック３から発光ダイオードアレイ１０への給電はオフ（遮断）される。
【００３８】
第１ブロック３は、外部の交流電源７から入力された交流電力を適宜電圧の直流電力に変換して出力するＡＣ−ＤＣコンバータからなる電源回路が、例えば金属板からなるケースに収納されたものである。上記の電源回路は、図８に示すように、上記の交流電力を全波整流するダイオードブリッジＤＢと、ダイオードブリッジＤＢの直流出力を昇圧するブーストコンバータ３１と、ブーストコンバータ３１の出力を降圧するバックコンバータ３２とを備える。このバックコンバータ３２の出力が、第１ブロック３の出力として第２ブロック４に入力される。また、第１ブロック３は、電線（図示せず）が接続される端子台３３を有しており、上記の交流電源７とダイオードブリッジＤＢとの電気的な接続は、上記の端子台に接続される電線を介して達成される。上記のような端子台３３は例えば速結端子のような周知の端子装置を用いて実現可能である。
【００３９】
ブーストコンバータ３１は、力率改善回路や昇圧型チョッパ回路などとも呼ばれる周知の回路であるので詳細な説明は省略する。
【００４０】
バックコンバータ３２は、カソードがブーストコンバータ３１の高電圧側の出力端に接続されたダイオードＤ１を備える。また、ダイオードＤ１のアノードとブーストコンバータ３１の低電圧側の出力端との間には、スイッチング素子Ｑ１と抵抗Ｒ１との直列回路が接続されている。スイッチング素子Ｑ１は例えばｎチャネル型のＭＯＳＦＥＴからなる。さらに、ダイオードＤ１のカソードとバックコンバータ３２の高電圧側の出力端との間にはインダクタＬ１が接続され、バックコンバータ３２の低電圧側の出力端とダイオードＤ１のアノードとの間には電流検出素子ＣＴ１が接続されている。電流検出素子ＣＴ１は、バックコンバータ３２の出力電流（以下、単に「出力電流」と呼ぶ。）を検出するものである。電流検出素子ＣＴ１としては、抵抗を用いて実現してもよいし、カレントトランスを用いて実現してもよい。
【００４１】
また、バックコンバータ３２は、抵抗Ｒ１の両端電圧（すなわちスイッチング素子Ｑ１に流れる電流）と、電流検出素子ＣＴ１によって検出された出力電流とに応じて、スイッチング素子Ｑ１をオンオフ駆動する駆動部３２１を有する。具体的には例えば、駆動部３２１は、スイッチング素子Ｑ１をオンした後、抵抗Ｒ１の両端電圧が所定の第１閾値まで上昇したときにスイッチング素子Ｑ１をオフする。また、駆動部３２１は、スイッチング素子Ｑ１がオフされている期間中に、出力電流が所定の第２閾値まで低下したときに、スイッチング素子Ｑ１をオンする。これにより、出力電流は、上記の第１閾値や第２閾値に応じた一定程度に維持される。
【００４２】
さらに、バックコンバータ３２は、バックコンバータ３２の出力電圧（以下、単に「出力電圧」と呼ぶ。）を検出する電圧検出部３２２と、駆動部３２１を制御する制御部３２３とを備える。電圧検出部３２２は、例えば分圧抵抗を用いて実現することができる。また、制御部３２３はデジタル回路であり、バックコンバータ３２は、電圧検出部３２２の出力をＡ／Ｄ変換して制御部３２３に入力する第１Ａ／Ｄ変換部３２５と、電流検出素子ＣＴ１の出力をＡ／Ｄ変換して制御部３２３に入力する第２Ａ／Ｄ変換部３２６とを有する。また、バックコンバータ３２は、不揮発性メモリからなり出力電力の正常範囲が記憶される記憶部３２４を有する。制御部３２３は、各Ａ／Ｄ変換部３２５，３２６の出力から第１ブロック３の出力電力を演算し、得られた出力電力が上記の正常範囲から外れたときに異常が発生したと判定する。そして、異常が発生したと判定されると、制御部３２３は、駆動部３２１を停止（つまりスイッチング素子Ｑ１をオフ状態に維持）させることで、第１ブロック３の出力を停止させる。つまり、電流検出素子ＣＴ１と電圧検出部３２２とが出力検出部を構成している。駆動部３２１と制御部３２３と各Ａ／Ｄ変換部３２５，３２６とは１チップに集積化されていてもよい。
【００４３】
また、第１ブロック３は、図９に示すように、電源がオンされたタイミングｔ０から待機時間Ｔｗが経過するまでの期間中（つまり、冷却装置２が動作しない冷却装置待機期間中）には、待機時間Ｔｗの経過後よりも出力電流を少なくする。具体的には、電源がオンされてから待機時間Ｔｗが経過したタイミングｔ１で、例えば上記の第１閾値が大きくされる。
【００４４】
さらに、本実施形態では冷却装置電源回路４１が発光ダイオードアレイ１０に並列に接続されていることにより、発光ダイオードアレイ１０に一定電流を供給するための第１ブロック３の出力電流は、冷却装置２が動作するか否かで変化する。従って、出力電流や出力電力の正常範囲も、冷却装置待機期間中と冷却装置待機期間の終了後とで異なる。そこで、記憶部３２４には、冷却装置待機期間中に正常範囲として用いられる第１正常範囲と、冷却装置待機期間の終了後に正常範囲として用いられる第２正常範囲とが記憶されている。
【００４５】
さらに、制御部３２３は、製造後に最初に電源がオンされたときの検出値に基づいて、各正常範囲を決定するとともに記憶部３２４に記憶する。具体的には、記憶部３２４には、製造後に電源がオンされたか否かを示すフラグＦが記憶されている。このフラグＦの値は、製造時には０とされていて、各正常範囲が決定されたときに１とされる。
【００４６】
図１０に示すように、電源がオンされて始動する（Ｓ１）と、制御部３２３は、まず、上記のフラグＦが１か否かを判定する（Ｓ２）。
【００４７】
フラグＦが１でなかった場合（Ｓ２でＮ）、つまり製造後の最初の電源オンであって正常範囲が未定の場合、制御部３２３は、まず、第１正常範囲を決定する（Ｓ３）。具体的には、制御部３２３は、各Ａ／Ｄ変換部３２５，３２６を介して得られた出力電流と出力電圧とから検出値としての出力電力を得て、得られた出力電力を含む所定範囲を第１正常範囲とする。第１正常範囲は、例えば、得られた検出値の１．２倍を上限値とし、得られた検出値の０．８倍を下限値とするような範囲とされる。さらに、制御部３２３は、待機時間の経過後（つまり冷却装置待機期間の終了後であり、Ｓ４でＹ）、第１正常範囲の決定時と同様に検出値を得て第２正常範囲を決定し、フラグＦを１とする（Ｓ５）。その後、制御部３２３は、検出値（出力電力）を得るとともに得られた検出値が第２正常範囲内か否かを判定する動作（Ｓ６）を、得られた検出値が第２正常範囲内である（Ｓ６でＹ）限りにおいて定期的に繰り返す。得られた検出値が第２正常範囲外であった場合（Ｓ６でＮ）、制御部３２３は駆動部３２１を停止させることで第１ブロック３の出力を停止させる（Ｓ７）。
【００４８】
フラグＦが１であった場合（Ｓ２でＹ）、つまり正常範囲が決定済みの場合、待機時間が経過するまでは、制御部３２３は、検出値を得るとともに得られた検出値が第１正常範囲内か否かを判定する動作を定期的に繰り返す（Ｓ８，Ｓ９）。ここで、得られた検出値が第１正常範囲外であった場合（Ｓ８でＮ）、制御部３２３は第１ブロック３の出力を停止させる（Ｓ７）。また、得られた検出値が第１正常範囲外とならないまま、待機時間が経過した（つまり冷却装置待機期間が終了した）場合（Ｓ９でＹ）、制御部３２３は、第１正常範囲に代えて第２正常範囲を用いる動作に移行する（Ｓ６）。
【００４９】
上記のような制御部３２３による第１ブロック３の出力の停止は、第１ブロック３の後段で断線や短絡が発生した場合のほか、遮断回路４３による遮断が行われた場合にも行われる。
【００５０】
上記構成によれば、発光ダイオードアレイ１０に接続される第２ケーブル５２と、冷却装置２に接続される第３ケーブル５３とが、ともに、灯体１に固定される第２ブロック４から引き出されている。これにより、冷却装置電源回路４１や待機回路４２が第１ブロック３に設けられる場合に比べ、第３ケーブル５３を短くすることができるから、配線の簡略化が可能となる。
【００５１】
また、灯体１に設けられる温度検出素子６の出力に応じて動作する遮断回路４３が第２ブロック４に設けられているので、遮断回路４３が第１ブロックに設けられる場合に比べ、温度検出素子６から遮断回路４３への配線が短縮される。
【００５２】
さらに、温度検出素子６によって異常な高温が検出されたときや、検出値が正常範囲内にないときに、発光ダイオードアレイ１０への給電が停止されるので、発光ダイオードアレイ１０への給電が停止されない場合に比べて安全性が向上する。
【００５３】
また、正常範囲（第１正常範囲及び第２正常範囲）が、最初に電源がオンされたときの検出値に基づいて決定されるので、正常範囲を、発光ダイオードアレイ１０の特性のばらつきに応じた適切な範囲とすることができる。
【００５４】
なお、図１１に示すように、冷却装置２は第２ブロック４に一体化されていてもよい。具体的には、図１２に示すように、冷却装置電源回路４１と待機回路４２と遮断回路４３とが実装されたプリント配線板４４が収納されたケース４０に、冷却装置２を収納する。ケース４０には冷却装置２による気流を通過させるための適宜の穴が設けられる。上記のようなケース４０は金属板で形成されていてもよいし、樹脂で形成されていてもよい。上記のように冷却装置２を第２ブロック４に一体化すれば、冷却装置２と第２ブロック４とを互いに接続する第３ケーブル５３を第２ブロック４の外に設ける必要がないから、配線をさらに簡略化することができる。
【００５５】
また、制御部３２３が用いる検出値としては、第１ブロック３の出力電力に代えて、第１ブロック３の出力電流や出力電圧を用いてもよい。本実施形態のように冷却装置電源回路４１が発光ダイオードアレイ１０に並列に接続される場合、発光ダイオードアレイ１０に一定の電流を供給するために第１ブロック３が出力すべき電圧は冷却装置２が動作中か否かで変化しない。従って、検出値として出力電圧が用いられる場合における正常範囲としては、冷却装置待機期間中と冷却装置待機期間の終了後とで同じものを用いることができる。また、冷却装置電源回路４１が発光ダイオードアレイ１０に直列に接続される場合であって検出値として出力電流が用いられる場合にも、冷却装置待機期間中と冷却装置待機期間の終了後とで正常範囲を互いに共通とすることができる。
【００５６】
または、制御部３２３が、検出値として出力電流と出力電圧と出力電力とのうちの複数を用い、検出値のいずれかが正常範囲外となったときに第１ブロック３の出力を停止させるようにしてもよい。この場合、正常範囲は検出値毎に個別に決定及び記憶される。
【００５７】
さらに、冷却装置２のモーターの回転数を検出する回転数検出部を設けるとともに、遮断回路４３が、上記の回転数検出部によって検出された回転数が所定の正常範囲内にないときにも発光ダイオードアレイ１０への給電を停止させるようにしてもよい。上記のような回転数検出部は、例えば、冷却装置２のモーターが所定量だけ回転する毎にパルスを出力するインクリメンタル方式のロータリーエンコーダと、このロータリーエンコーダが出力したパルスを計数するカウンタとを用いて、周知技術で実現可能であるので、詳細な説明は省略する。また、上記の回転数検出部と遮断回路４３とを互いに電気的に接続する電線は、第３ケーブル５３に含まれる。
【符号の説明】
【００５８】
１  灯体
２  冷却装置
３  第１ブロック
４  第２ブロック
６  温度検出素子
１０  発光ダイオードアレイ（固体発光素子）
４１  冷却装置電源回路
４２  待機回路
４３  遮断回路
３２２  電圧検出部（出力検出部）
３２３  制御部
３２４  記憶部
ＣＴ１  電流検出素子（出力検出部）
【図１】
2015038833.tif 000003
【図２】
2015038833.tif 000004
【図３】
2015038833.tif 000005
【図４】
2015038833.tif 000006
【図５】
2015038833.tif 000007
【図６】
2015038833.tif 000008
【図７】
2015038833.tif 000009
【図８】
2015038833.tif 000010
【図９】
2015038833.tif 000011
【図１０】
2015038833.tif 000012
【図１１】
2015038833.tif 000013
【図１２】
2015038833.tif 000014